(57)【要約】【課題】特定の企業等の従業員に対して口座を開設したりカードを発行したりする場合等において、申込者が、設定された特定情報を入力する煩わしさを軽減し、システム側においてその特定情報を管理する負荷を軽減する。【解決手段】サービス利用の申込登録を行うシステムにおいて、サービス利用の申し込みに必要なデータを入力するための入力画面を表示する表示部１４と、前記入力画面を制御する入力画面制御部１５と、二次元コード画像（識別用コード画像）及びサービス利用に必要な証明書データを入力するカメラ１１と、カメラ１１から入力された二次元コード画像で表現される特定情報を認識する二次元コード認識部１２と、サービス利用の申込データを入力する申込データ入力部１７と、二次元コード認識部１２が認識した特定情報、カメラ１１から入力された証明書データ、及び申込データ入力部１７から入力された申込データを送信する送信部１９とを備えた携帯端末装置１０を備える。【選択図】図２
2020095743.tif 000002
【特許請求の範囲】
【請求項１】
申込者の端末装置からサービス利用の申し込みに必要なデータを入力し、該データに基づいてサービス利用の申込登録を行うシステムにおいて、
サービス利用の申し込みに必要なデータを入力するための入力画面を表示する入力画面表示手段と、
前記入力画面を制御する入力画面制御手段と、
識別用コード画像を入力する識別用コード画像入力手段と、
前記識別用コード画像入力手段から入力された前記識別用コード画像で表現される特定情報を認識する識別用コード認識手段と、
サービス利用に必要な証明書データを入力する証明書データ入力手段と、
サービス利用の申込データを入力する申込データ入力手段と、
前記識別用コード認識手段が認識した前記特定情報、前記証明書データ入力手段から入力された前記証明書データ、及び前記申込データ入力手段から入力された前記申込データを送信する第１の送信手段と、
を備えた端末装置と、
前記第１の送信手段から送信された前記特定情報、前記証明書データ及び前記申込データを受信する第１の受信手段と、
前記第１の受信手段が受信した前記証明書データの真偽を判定する真偽判定手段と、
前記第１の受信手段が受信した前記特定情報、前記証明書データ及び前記申込データを申込情報として記憶する申込情報記憶手段と、
を備えた申込登録サーバーと、
を備えたことを特徴とするサービス利用申込登録システム。
【発明の詳細な説明】
【技術分野】
【０００１】
本発明は、申込者の端末装置から入力される申込データに基づいて各種口座開設、クレジットカードやローンカードの利用等のサービスを利用するための申込登録を行うシステムにおけるサービス利用申込登録システムに関するものである。
【背景技術】
【０００２】
銀行、証券会社、保険会社、カード会社等は、利用者に対して各種サービスを提供しているが、そのサービスを受けるには、利用者は、サービスを提供する銀行等に口座を開設したりカード利用等の申込をする必要がある。そのような口座開設やカード利用等の申込をするに際しては、申込者が所定の事項を記載した申込書や本人確認のための証明書を提出し、提出した書類に基づいて口座開設やカード発行等に至る一連の手続が行われる。
そして、近年、コンピュータ技術等の発展により、このような申し込みから口座開設やカード発行等の手続を自動化した各種システムが開発されている。
例えば、特開２０１３−２５５７１号公報（特許文献１）には、申込データと本人確認データを入力する入力端末と、本人確認データの真贋判定等を行う本人確認システムと、本人確認データが真正の場合に申込データから発行データを生成する管理システムと、カード発行端末を有するカード発行システムが開示されている。
また、最近の携帯端末機器の普及により、携帯端末機器を使用した口座申込システムも開発されている。
例えば、特開２０１４−２１７６５号公報（特許文献２）には、携帯情報端末、本人確認サーバ、口座開設サーバ等からなる口座申込システムであって、携帯情報端末において、口座申込のための複数の案内から選択した一の案内を実行し、申込者から受け付けた操作が一の案内に対応したものでない場合、一の案内とは異なる案内を選択して実行する口座申込システムが、本出願人によって開示されている。
【０００３】
ところで、銀行等が特定の企業等の従業員に対し、その特定の企業等の従業員として口座を開設したりカードを発行等する場合、一般の口座やカード等とは区別して、口座開設やカード発行等がなされ、開設された口座や発行されたカード等もその特定の企業の従業員の口座やカード等として一般の口座やカード等とは区別して管理される。
そして、上記のような申し込みから口座開設やカード発行等の手続を自動化した口座申込システム等を使用して、特定の企業等の従業員に対して口座を開設したりカードを発行したりする場合、その特定の企業等に対して企業ＩＤとパスワード等の特定情報が設定され、その特定の企業等の従業員は、端末装置等から設定された特定情報を入力してから、申込データや本人確認データ等を入力して口座開設やカード発行等の手続を行うこととなる。
しかしながら、その特定の企業等の従業員にとっては、設定された特定情報を入力しなければならないという煩わしさがあり、銀行等においても、企業毎に特定情報を設定して管理しなければならず、システム側の負荷が増加するという問題がある。
【先行技術文献】
【特許文献】
【０００４】
【特許文献１】特開２０１３−２５５７１号公報
【特許文献２】特開２０１４−２１７６５号公報
【発明の概要】
【発明が解決しようとする課題】
【０００５】
本発明が解決しようとする課題は、申込者の端末装置から口座開設やカード利用等のサービス利用の申し込みに必要なデータを入力し、このデータに基づいてサービス利用の申込登録を行うシステムを使用して特定の企業等の従業員に対して口座を開設したりカードを発行したりする場合等において、申込者が、設定された特定情報を入力する煩わしさを軽減し、システム側においてその特定情報を管理する負荷を軽減することである。
【課題を解決するための手段】
【０００６】
本発明は、申込者の端末装置からサービス利用の申し込みに必要なデータを入力し、該データに基づいてサービス利用の申込登録を行うシステムにおいて、サービス利用の申し込みに必要なデータを入力するための入力画面を表示する入力画面表示手段と、前記入力画面を制御する入力画面制御手段と、識別用コード画像を入力する識別用コード画像入力手段と、前記識別用コード画像入力手段から入力された前記識別用コード画像で表現される特定情報を認識する識別用コード認識手段と、サービス利用に必要な証明書データを入力する証明書データ入力手段と、サービス利用の申込データを入力する申込データ入力手段と、前記識別用コード認識手段が認識した前記特定情報、前記証明書データ入力手段から入力された前記証明書データ、及び前記申込データ入力手段から入力された前記申込データを送信する第１の送信手段とを備えた端末装置と、前記第１の送信手段から送信された前記特定情報、前記証明書データ及び前記申込データを受信する第１の受信手段と、前記第１の受信手段が受信した前記証明書データの真偽を判定する真偽判定手段と、前記第１の受信手段が受信した前記特定情報、前記証明書データ及び前記申込データを申込情報として記憶する申込情報記憶手段とを備えた申込登録サーバーとを備えたサービス利用申込登録システムを提供して、上記課題を解決するものである。
【０００７】
本発明は、前記端末装置は携帯端末装置であり、前記識別用コード画像入力手段及び前記証明書データ入力手段は該携帯端末装置に取り付けられたカメラであるサービス利用申込登録システムとすることができる。
【０００８】
本発明は、申込者の端末装置からサービス利用の申し込みに必要なデータを入力し、該データに基づいてサービス利用の申込登録を行うシステムにおいて、サービス利用の申し込みに必要なデータを入力するための入力画面を表示する入力画面表示手段と、前記入力画面を制御する入力画面制御手段と、識別用コード画像を入力する識別用コード画像入力手段と、前記識別用コード画像入力手段から入力された前記識別用コード画像で表現される特定情報を認識する識別用コード認識手段と、サービス利用に必要な証明書データを入力する証明書データ入力手段と、サービス利用の申込データを入力する申込データ入力手段と、前記識別用コード認識手段が認識した前記特定情報、前記証明書データ入力手段から入力された前記証明書データ、及び前記申込データ入力手段から入力された前記申込データを送信する第１の送信手段とを備えた端末装置と、前記第１の送信手段から送信された前記特定情報、前記証明書データ及び前記申込データを受信する第１の受信手段と、前記第１の受信手段が受信した前記証明書データの真偽を判定する真偽判定手段と、前記第１の受信手段が受信した前記特定情報、前記証明書データ及び前記申込データを申込情報として記憶する申込情報記憶手段と、前記真偽判定手段が判定した判定結果、前記証明書データ及び前記申込データを送信する第２の送信手段とを備えた申込登録サーバーと、前記第２の送信手段から送信された前記判定結果、前記証明書データ及び前記申込データを受信する第２の受信手段と、前記第２の受信手段が受信した前記判定結果、前記証明書データ及び前記申込データを表示する表示手段と、前記第２の受信手段が受信した前記申込データから選択された申込データを削除する申込データ削除手段とを備えた申込データ確認装置とを備えたサービス利用申込登録システムとすることができる。
【０００９】
本発明は、前記申込データ確認装置は、前記第２の受信手段が受信した前記申込データであって前記申込データ削除手段が削除しない前記申込データを記憶する真正申込データ記憶手段と、該真正申込データ記憶手段に記憶された前記申込データに基づいてカード発行データを生成するカード発行データ生成手段をさらに備えたサービス利用申込登録システムとすることができる。
【００１０】
本発明は、前記識別用コード画像は、二次元コード画像であるサービス利用申込登録システムとすることができる。
【００１１】
本発明は、前記サービス利用は、口座開設、クレジットカードの利用、ローンカードの利用のいずれかであるサービス利用申込登録システムとすることができる。
【００１２】
本発明は、申込者の端末装置からサービス利用の申し込みに必要なデータを入力し、該データに基づいてサービス利用の申込登録を行うシステムにおいて使用される前記端末装置であって、サービス利用の申し込みに必要なデータを入力するための入力画面を表示する入力画面表示手段と、前記入力画面を制御する入力画面制御手段と、識別用コード画像を入力する識別用コード画像入力手段と、前記識別用コード画像入力手段から入力された前記識別用コード画像で表現される特定情報を認識する識別用コード認識手段と、サービス利用に必要な証明書データを入力する証明書データ入力手段と、サービス利用の申込データを入力する申込データ入力手段と、前記識別用コード認識手段が認識した前記特定情報、前記証明書データ入力手段から入力された前記証明書データ、及び前記申込データ入力手段から入力された前記申込データを送信する第１の送信手段とを備えたサービス利用申込用端末装置とすることができる。
【００１３】
本発明は、前記端末装置は携帯端末装置であり、前記識別用コード画像入力手段及び前記証明書データ入力手段は該携帯端末装置に取り付けられたカメラであるサービス利用申込用端末装置とすることができる。
【００１４】
本発明は、前記識別用コード画像は、二次元コード画像であるサービス利用申込用端末装置とすることができる。
【００１５】
本発明は、前記サービス利用は、口座開設、クレジットカードの利用、ローンカードの利用のいずれかであるサービス利用申込用端末装置とすることができる。
【００１６】
本発明は、申込者の端末装置からサービス利用の申し込みに必要なデータを入力し、該データに基づいてサービス利用の申込登録を行うシステムにおける前記端末装置に使用される申込情報入力方法であって、識別用コード画像を入力する識別用コード画像入力ステップと、  前記識別用コード画像入力ステップで入力された前記識別用コード画像で表現される特定情報を認識する識別用コード認識ステップと、サービス利用の申し込みに必要な証明書データを入力する入力画面を表示して証明書データを入力する証明書データ入力ステップと、サービス利用の申込データを入力する画面を表示して申込データを入力する申込データ入力ステップと、前記特定情報、前記証明書データ及び前記申込データを送信する第１の送信ステップとを備えたサービス利用申込情報入力方法とすることができる。
【００１７】
本発明は、前記識別用コード画像は、二次元コード画像であるサービス利用申込情報入力方法とすることができる。
【００１８】
本発明は、前記サービス利用は、口座開設、クレジットカードの利用、ローンカードの利用のいずれかであるサービス利用申込情報入力方法を提供して、上記課題を解決するものである。
【００１９】
本発明は、前記サービス利用申込情報入力方法をコンピュータに実行させるプログラムとすることができる。
【００２０】
本発明は、申込者の端末装置からサービス利用の申し込みに必要なデータを入力し、該データに基づいてサービス利用の申込登録を行う方法において、識別用コード画像を入力する識別用コード画像入力ステップと、前記識別用コード画像入力ステップで入力された前記識別用コード画像で表現される特定情報を認識する識別用コード認識ステップと、サービス利用の申し込みに必要な証明書データを入力する入力画面を表示して証明書データを入力する証明書データ入力ステップと、サービス利用の申込データを入力する画面を表示して申込データを入力する申込データ入力ステップと、前記特定情報、前記証明書データ及び前記申込データを送信する第１の送信ステップと、前記第１の送信ステップで送信された前記特定情報、前記証明書データ及び前記申込データを受信する第１の受信ステップと、前記第１の受信ステップで受信された前記証明書データの真偽を判定する真偽判定ステップと、前記第１の受信ステップで受信された前記特定情報、前記証明書データ及び前記申込データを申込情報として記憶する申込情報記憶ステップとを備えたサービス利用申込登録方法とすることができる。
【００２１】
本発明は、前記真偽判定ステップで判定された判定結果、前記証明書データ及び前記申込データを送信する第２の送信ステップと、前記第２の送信ステップで送信された前記判定結果、前記証明書データ及び前記申込データを受信する第２の受信ステップと、  前記第２の受信ステップで受信された前記判定結果、前記証明書データ及び前記申込データを表示する表示ステップと、前記第２の受信ステップで受信された前記申込データから選択された申込データを削除する申込データ削除ステップとをさらに備えたサービス利用申込登録方法とすることができる。
【００２２】
本発明は、前記第２の受信ステップで受信された前記申込データであって前記申込データ削除ステップで削除されない前記申込データを記憶する真正申込データ記憶ステップと、  前記真正申込データ記憶ステップで記憶された前記申込データに基づいてカード発行データを生成するカード発行データ生成ステップとをさらに備えたサービス利用申込登録方法とすることができる。
【００２３】
本発明は、前記識別用コード画像は、二次元コード画像であるサービス利用申込登録方法とすることができる。
【００２４】
本発明は、前記サービス利用は、口座開設、クレジットカードの利用、ローンカードの利用のいずれかであるサービス利用申込登録方法とすることができる。
【００２５】
本発明は、前記サービス利用申込登録方法をコンピュータに実行させるプログラムとすることができる。
【発明の効果】
【００２６】
本発明のサービス利用申込登録システムにおいては、特定の企業等の従業員に対して口座開設やカード発行等のサービス利用を提供する場合において、申込者が、設定された特定情報を入力する煩わしさが軽減され、システム側においてもその特定情報を管理する負荷が軽減されるという効果を奏する。
【００２７】
本発明のサービス利用申込登録システムにおいては、汎用性の高い携帯端末装置に取り付けられたカメラから前記識別用コード画像及び前記証明書データが入力された場合に上記効果を奏する。
【００２８】
本発明のサービス利用申込登録システムにおいては、特定の企業等の従業員に対して不正な申込データを削除して口座開設やカード発行等のサービス利用を提供する場合において、申込者が、設定された特定情報を入力する煩わしさが軽減され、システム側においてもその特定情報を管理する負荷が軽減されるという効果を奏する。
【００２９】
本発明のサービス利用申込登録システムにおいては、さらに、不正な申込データが削除された真正な申込データからカード発行データを生成されるという効果を奏する。
【００３０】
本発明のサービス利用申込登録システムにおいては、さらに、識別用コード認識手段による特定情報の認識が簡易かつ正確に行われるという効果を奏する。
【００３１】
本発明のサービス利用申込登録システムにおいては、口座開設、クレジットカードの利用、ローンカードの利用の際に上記効果を奏する。
【００３２】
本発明のサービス利用申込用端末装置においては、申込者が、設定された特定情報を入力する煩わしさが軽減され、システム側においてもその特定情報を管理する負荷が軽減されるという効果を奏する。
【００３３】
本発明のサービス利用申込用端末装置においては、汎用性の高い携帯端末装置に取り付けられたカメラから前記二次元コード画像及び前記証明書データが入力された場合に上記効果を奏する。
【００３４】
本発明のサービス利用申込用端末装置においては、さらに、識別用コード認識手段による特定情報の認識が簡易かつ正確に行われるという効果を奏する。
【００３５】
本発明のサービス利用申込用端末装置においては、口座開設、クレジットカードの利用、ローンカードの利用の際に上記効果を奏する。
【００３６】
本発明のサービス利用申込情報入力方法においては、申込者が、設定された特定情報を入力する煩わしさが軽減され、システム側においてもその特定情報を管理する負荷が軽減されるという効果を奏する。
【００３７】
本発明のサービス利用申込情報入力方法においては、さらに、特定情報の認識が簡易かつ正確に行われるという効果を奏する。
【００３８】
本発明のサービス利用申込情報入力方法においては、口座開設、クレジットカードの利用、ローンカードの利用の際に上記効果を奏する。
【００３９】
本発明のプログラムは、サービス利用申込情報入力方法の発明と同様の効果を奏する。
【００４０】
本発明のサービス利用申込登録方法においては、申込者が、設定された特定情報を入力する煩わしさが軽減され、システム側においてもその特定情報を管理する負荷が軽減されるという効果を奏する。
【００４１】
本発明のサービス利用申込登録方法においては、さらに、特定の企業等の従業員に対して不正な申込データを削除して口座を開設する場合において、申込者が、設定された特定情報を入力する煩わしさが軽減され、システム側においてもその特定情報を管理する負荷が軽減されるという効果を奏する。
【００４２】
本発明のサービス利用申込登録方法においては、さらに、不正な申込データが削除された真正な申込データからカード発行データを生成されるという効果を奏する。
【００４３】
本発明のサービス利用申込登録方法においては、さらに、特定情報の認識が簡易かつ正確に行われるという効果を奏する。
【００４４】
本発明のサービス利用申込登録方法においては、口座開設、クレジットカードの利用、ローンカードの利用の際に上記効果を奏する。
【００４５】
本発明のプログラムは、前記サービス利用申込登録方法の発明と同様の効果を奏する。
【図面の簡単な説明】
【００４６】
【図１】本発明のサービス利用申込登録システムの一実施形態の全体構成の外観を示す外観構成図である。
【図２】図１の携帯端末装置１０及び申込登録サーバー２０の機能構成を示すブロック図である。
【図３】表示部１４に表示される入力画面のうち最初に表示される入力画面の例を示す説明図である。
【図４】表示部１４に表示される入力画面のうち、二次元コード画像（識別用コード画像）を入力する前に表示される入力画面の例を示す説明図である。
【図５】表示部１４に表示される入力画面のうち、申込データを入力する前に表示される入力画面の例を示す説明図である。
【図６】表示部１４に表示される入力画面のうち、申込データ入力時に表示される入力画面の例を示す説明図である。
【図７】図１の申込データ確認装置３０の機能構成を示すブロック図である。
【図８】サービス利用申込登録システム１の動作の概要を示したフローチャートである。
【図９】携帯端末装置１０の動作を示したフローチャートである。
【図１０】申込登録サーバー２０の動作を示したフローチャートである。
【図１１】申込データ確認装置３０の動作を示したフローチャートである。
【発明を実施するための形態】
【００４７】
［サービス利用申込登録システムの全体構成］
まず、本発明のサービス利用申込登録システムの全体構成について説明する。
図１は、本発明のサービス利用申込登録システムの一実施形態の全体構成の外観を示す外観構成図である。図中、１はサービス利用申込登録システム、２は印刷された識別用コード、３は印刷物、４はサービス利用に必要な証明書、５、６は通信回線、１０は本発明のサービス利用申込用端末装置である携帯端末装置、２０は申込登録サーバー、３０は申込データ確認装置である。
図に示すように、サービス利用申込登録システム１は、携帯端末装置１０、申込登録サーバー２０及び申込データ確認装置３０から構成され、携帯端末装置１０は、通信回線５を介して申込登録サーバー２０に接続され、申込登録サーバー２０は、通信回線６を介して申込データ確認装置３０に接続されている。
識別用コード２は、企業ＩＤやパスワード等の特定情報が組み込まれた一定のパターンからなり、印刷物３の中に印刷されている。
この識別用コード２としては、バーコード（一次元コード）、二次元コード等の各種コードを使用することができる。本実施形態では、識別用コード２は、情報量の多さや認識の正確性等で優れている二次元コードを使用し、その中でも汎用性の高いＱＲコード（登録商標）としている。以下、識別用コード２を二次元コード２として説明する。
証明書４は、口座開設やカード利用等のサービス利用に必要な本人確認資料となるもので、運転免許証、保険証、住基カード、パスポート、その他ＩＤカード等が使用され、本実施形態では、運転免許証が使用されている。
【００４８】
図２は、図１の携帯端末装置１０及び申込登録サーバー２０の機能構成を示すブロック図であり、図中、１１は本発明の識別用コード画像入力手段及び証明書データ入力手段となるカメラ、１２は本発明の識別用認識手段となる二次元コード認識部、１３は特定情報保存部、１４は本発明の入力画面表示手段となる表示部、１５は本発明の入力画面制御手段となる入力画面制御部、１６は画像データ保存部、１７は本発明の申込データ入力手段となる申込データ入力部、１８は申込データ保存部、１９は本発明の第１の送信手段となる送信部、２１は本発明の第１の受信手段となる受信部、２２は本発明の真偽判定手段となる真偽判定部、２３は申込情報登録部、２４は申込情報更新部、２５は本発明の申込情報記憶手段となる申込情報記憶部、２６は本発明の第２の送信手段となる送信部である。
【００４９】
［携帯端末装置１０］
図２に示すように、携帯端末装置１０は、カメラ１１、二次元コード認識部１２、特定情報保存部１３、表示部１４、入力画面制御部１５、画像データ保存部１６、申込データ入力部１７、申込データ保存部１８、送信部１９等から構成される。
カメラ１１は、携帯端末装置１０に取り付けられ、印刷物３に印刷された二次元コード（ＱＲコード）１２を撮影し、撮影した画像を二次元コード画像とし携帯端末装置１０に取り込む。
また、カメラ１１は、証明書（運転免許証）４の表面を撮影し、そこに記載されている事項等を画像データとして携帯端末装置１０に取り込む。このカメラ１１で撮影されて取り込まれた証明書（運転免許証）２の画像データは、本人確認用資料となる証明書データとして画像データ保存部１６に一旦保存される。
二次元コード認識部１２は、カメラ１１から取り込まれた二次元コード画像に組み込まれた特定情報を認識し、認識された特定情報は特定情報保存部１３に一旦保存される。
表示部１４は、各種事項を入力するための入力画面等を表示し、入力画面制御部１４により制御される。
申込データ入力部１７は、表示部１５に表示された所定のフォーマットからなる入力画面等から構成され、申込者は、この入力画面から口座を開設の申込をするために必要な事項を入力する。この申込データ入力部１７から入力された事項は、申込データとして申込データ保存部１８に一旦保存される。
そして、特定情報保存部１３に一旦保存された特定情報、画像データ保存部１６に一旦保存された運転免許証の証明書データ（画像データ）、及び、申込データ保存部１８に一旦保存された申込データは、送信部１９から通信回線５を介して申込登録サーバー２０に送信される。
【００５０】
［二次元コード、特定情報］
二次元コード２に組み込まれた特定情報は、銀行等が特定の企業等の従業員に対し、その特定の企業等の従業員として口座開設やカード発行する場合等に、一般の口座やカード等とは区別して登録するための情報である。この特定情報は、企業ＩＤやパスワード等からなり、銀行等の支店ごとに設定される。企業ＩＤとしては、例えば４ケタの数字が設定さて、パスワードとしては例えば８ケタの英数字が設定される。
そして、この特定情報が組み込まれた二次元コード２は、パンフレット等の印刷物３の中に印刷される。
したがって、口座申込やカード利用等を行う企業等の従業員は、印刷物３に印刷された二次元コード２を、携帯端末装置１０のカメラ２で撮影するだけで特定情報を入力することができ、特定情報自体を入力するというような煩わしさが軽減される。
【００５１】
［表示部１４に表示される入力画面］
図３〜図６は、口座開設を行う場合に表示部１４に表示される入力画面の例を示したもので、図３は最初に表示される入力画面の例、図４は二次元コード画像（識別用コード画像）を入力する前に表示される入力画面の例、図５は申込データを入力する前に表示される入力画面の例、図６は申込データ入力時に表示される入力画面の例を示している。
申込者が携帯端末装置１０を操作して、インターネットを介してサービス利用（口座開設）の申し込みを行うサイトにアクセスすると、表示部１４には、図３に示すような入力画面ａ１が表示される。すなわち、入力画面ａ１には、上部に「口座を開設する」と記載されたボタンｂ１が表示され、その下には「満１８歳以上で「運転免許証」をお持ちの方がご利用いただけます。」と表示される。
申込者がボタンｂ１をタッチすると、図４に示すような入力画面ａ２が表示される。すなわち、入力画面ａ２には、「一般のお客さま」と記載されたボタンｂ２と「ＱＲコードをお持ちのお客さま」と記載されたボタンｂ３が表示される。
ここで、申込者が特定の企業の従業員等としてサービス利用（口座開設）の申込を行う場合は、ボタンｂ３にタッチし、そうでない場合はボタンｂ２にタッチする。
申込者がボタンｂ３をタッチすると、携帯端末装置１０は撮影モードに入り、申込者は、携帯端末装置１０を操作して印刷物３に印刷された二次元コード２をカメラ１１で撮影することができ、この撮影により、二次元コード画像（識別用コード画像）が携帯端末装置１０に取り込まれる。
【００５２】
このようにして二次元コード画像（識別用コード画像）を携帯端末装置１０に取り込み、さらに、証明書データ（画像データ）を携帯端末装置１０に取り込んだ後、申込データを入力する段階においては、図５に示すような入力画面ａ３が表示される。すなわち、入力画面ａ３には、上部に「口座開設のお申し込み手続きを開始します。」と表示され、その下に「ページ下部の「申し込む」を押してください。」と表示され、下部に「申し込む」と記載されたボタンｂ４が表示される。
申込者がボタンｂ４をタッチすると、図６に示すような入力画面ａ４が表示される。すなわち、入力画面ａ４には、上から順に「口座開設情報のご入力」、「以下の項目をご入力のうえ、「次へ」のボタンをタップしてください。」、「ご本人様基本情報１」、「おなまえ（全角）」と表示され、申込人の氏名を入力する入力枠ｗ１、ｗ２が表示される。さらにその下には、申込人の生年月日等の口座を開設の申込をするために必要な事項を入力する入力枠（図示せず）が表示される。
申込者は、携帯端末装置１０を操作して入力枠ｗ１、ｗ２に氏名を入力し、他の入力枠に生年月日等を入力することができ、これにより入力されたデータは申込データとして携帯端末装置１０に取り込まれる。
【００５３】
［申込登録サーバー２０］
図２に示すように、申込登録サーバー２０は、受信部２１、真偽判定部２２、申込情報登録部２３、申込情報更新部２４、申込情報記憶部２５及び送信部２６等から構成される。
受信部２１は、携帯端末装置１０の送信部１９から通信回線５を介して送信された特定情報、証明書データ（画像データ）及び申込データ等を受信する。受信部２１が受信したこれらのデータは申込情報として申込情報登録部２２に送られ、さらに、証明書データ（画像データ）は真偽判定部２２に送られる。
真偽判定部２２、受信部２１から送られてくる証明書データ（画像データ）の真偽判定を行う。具体的には、証明書データ（画像データ）のＯＣＲ処理により画像データから文字・記号等を認識し、認識した文字・記号等が所定のルールに適合するかを判定する。例えば、運転免許証番号が採番ルールに準じたものであるか、生年月日と取得年が適正か、住所の都道府県と公安委員会の整合性が取れているかを判定する。
そして、真偽判定部２３は、認識した文字・記号等が所定のルールに適合する場合は「偽造の疑いなし」の判定結果を出し、認識した文字・記号等が所定のルールに適合しない場合は「偽造の疑いあり」の判定結果を出し、この判定結果を送信部２６に送る。
申込情報登録部２２は、受信部２１から送られてくる申込情報（特定情報、証明書データ及び申込データ）を申込情報記憶部２５に記憶させ、証明書データ及び申込データを送信部２６に送る。
申込情報更新部２４は、申込データ確認装置３０から通信回線６を介して送られ、受信部２１が受信した削除申込データ（後述する）に基づいて、申込情報記憶部２５に記憶された申込情報を更新する。
送信部２８は、真偽判定部２２からの判定結果と、申込情報登録部２３からの証明書データ及び申込データを、通信回線６を介して申込データ確認装置３０に送信する。
【００５４】
［申込データ確認装置３０］
図７は、図１の申込データ確認装置３０の機能構成を示すブロック図であり、図中、３１は本発明の第２の受信手段となる受信部、３２は判定結果保存部、３３は申込・画像データ保存部、３４は本発明の表示手段となる表示部、３５は本発明の申込データ削除手段となる申込データ削除部、３６は申込データ登録部、３７は本発明の真正申込データ記憶手段となる真正申込データ記憶部、３８は本発明のカード発行データ生成手段となるカード発行データ生成部であり、３９は送信部である。
受信部３１は、申込登録サーバー２０の送信部２６から送信される判定結果、証明書データ（画像データ）と申込データを受信し、判定結果は判定結果保存部３２に送り、証明書データ（画像データ）は申込・画像データ保存部３３に送る。
判定結果保存部３２は、判定結果を一旦保存すると共に、保存した判定結果を表示部３４に送り、申込・画像データ保存部３３は、証明書データ（画像データ）申込データを一旦保存すると共に、保存した証明書データ（画像データ）と申込データを表示部３４に送り、表示部３４には、判定結果、証明書データ（画像データ）と申込データが表示される。
これにより、不正な申込をチェックする者（確認判断者）は、表示部３４に表示された判定結果（「偽造の疑いなし」又は「偽造の疑いあり」）を参考にしながら、表示部３４に表示された証明書データ（画像データ）と申込データが不正なものか確認して判断することができる。
そして、確認判断者は、申込・画像データ保存部３３に保存されている申込データの中から、不正であると判断した申込データを選択する。
【００５５】
申込データ削除部３５は、申込・画像データ保存部３３に保存されている申込データのうち、確認判断者により不正であると判断されて選択された申込データを削除し、削除しない申込データを申込データ登録部３６に送る。
申込データ登録部３６は、申込データ削除部３５から送られてきた削除されない申込データを真正な申込データとして真正申込データ記憶部３７に記憶する。
そして、カード発行データ生成部３８は、真正申込データ記憶部３７に記憶された申込データからカード発行データを生成し、生成したカード発行データに基づいてカード発行処理（図示せず）がなされる。
このとき、カード発行データ生成部３８は、真正申込データ記憶部３７に記憶された申込データのうち、生成したカード発行データに対応する申込データについて発行済みフラグを付与する。これにより、カードの二重発行が防止される。
また、申込データ削除部３５は、削除した申込データ（削除申込データ）を送信部３９に送り、送信部３９は、通信回線６を介して削除申込データを申込登録サーバー２０に送信する。
申込登録サーバー２０の受信部２１は、申込データ確認装置３０から送信された削除申込データを受信し、受信した削除申込データを申込情報更新部２４に送る。
申込登録サーバー２０の申込情報更新部２４は、受信部２１からの削除申込データにより申込情報記憶部２５に記憶された申込情報の更新を行う。すなわち、申込情報更新部２５は、削除申込データに対応する申込情報を削除し、これにより申請申込データ記憶部３７に記憶された申請申込データに対応する申込情報が申込情報更新部２４に記憶されることとなる。
【００５６】
［サービス利用申込登録システム１の動作の概要］
次に、本発明のサービス利用申込登録システムの動作について説明する。
図８は、サービス利用申込登録システム１の動作の概要を示したフローチャートである。
図に示すように、サービス利用申込登録システム１の動作は、携帯端末装置１０において、二次元コード画像（識別用コード画像）の入力、証明書データ（画像データ）、申込データの入力等を行うステップ（Ｓ１）、申込登録サーバー２０において、証明書データの真偽判定、申込情報（特定情報、証明書データ及び申込データ）の記憶等を行うステップ（Ｓ２）、申込データ確認装置３０において、判定結果、申込データと画像データの表示、申込データの削除、申込データの記憶、カード発行データの生成等を行うステップ（Ｓ３）からなっている。
以下、携帯端末装置１０、申込登録サーバー２０及び申込データ確認装置３０の動作を説明する。
【００５７】
［携帯端末装置１０の動作］
図９は、携帯端末装置１０の動作を示したフローチャートである。以下、携帯端末装置１０の動作を説明する。
まず、申込者が携帯端末装置１０を操作して、インターネットを介してサービス利用（口座開設）の申し込みを行うサイトにアクセスすると、入力画面制御部１５が、図３に示すような入力画面ａ１を表示部１４に表示する（Ｓ１０）。
入力画面ａ１には、上部に「口座を開設する」と記載されたボタンｂ１が表示されており、申込者がボタンｂ１をタッチすると、入力画面制御部１５が、図４に示すような入力画面ａ２を表示部１４に表示する（Ｓ１１）。
入力画面ａ２には、「一般のお客さま」と記載されたボタンｂ２と「ＱＲコードをお持ちのお客さま」と記載されたボタンｂ３が表示されており、申込者が特定の企業の従業員等としてサービス利用（口座開設）の申込を行う場合は、ボタンｂ３にタッチし、そうでない場合はボタンｂ２にタッチする。
申込者のタッチによりボタンｂ３が選択されると（Ｓ１２の２）、携帯端末装置１０は撮影モードに入り、申込者が携帯端末装置１０を操作して印刷物３に印刷された二次元コード２を撮影すると、カメラ１１が二次元コード画像（識別用コード画像）を入力する（Ｓ１２の３）。
入力された二次元コード画像（識別用コード画像）には企業ＩＤやパスワード等の特定情報が組み込まれており、二次元コード認識部１２がこの特定情報を認識し（Ｓ１２の４）、認識に成功すると、認識した特定情報を特定情報保存部に保存する（Ｓ１２の５）。認識に失敗すると、終了するか否かの申込者からの選択を待ち（Ｓ１２の６）、終了しない方が選択されると、Ｓ１２の３に戻って再度二次元コード画像（識別用コード画像）を入力し、終了する方が選択されると、処理を終了する。
【００５８】
特定情報が保存されると、入力画面制御部１５が証明書データを入力するための入力画面（図示せず）を表示部１４に表示し、申込者の操作により、カメラ１１が証明書（運転免許証）４の表面を撮影し、そこに記載されている事項等を証明書データ（画像データ）として入力し（Ｓ１３）、入力した証明書データ（画像データ）を画像データ保存部１６に一旦保存する（Ｓ１４）。
次いで、入力画面制御部１５が、図５に示すような入力画面ａ２を表示部１４に表示する（Ｓ１５）。
入力画面ａ３には、下部に「申し込む」と記載されたボタンｂ４が表示されており、申込者がボタンｂ１をタッチすると、入力画面制御部１５が、図６に示すような入力画面ａ４を表示部１４に表示する（Ｓ１５）。
入力画面ａ４には、申込人の氏名を入力する入力枠ｗ１、ｗ２が表示され、さらに、申込人の生年月日等の口座を開設の申込をするために必要な事項を入力する入力枠（図示せず）が表示されており、申込者が入力枠ｗ１、ｗ２、その他の入力枠に文字等の入力することにより、申込データ入力部１７が申込データを入力し（Ｓ１７）、入力した申込データを一旦申込データ保存部１４に保存する（Ｓ１８）。
最後に、送信部１９が、一旦保存した特定情報、証明書データ（画像データ）及び申込データを申込登録サーバー２０送信する（Ｓ１９）。
【００５９】
［申込登録サーバー２０の動作］
図１０は、申込登録サーバー２０の動作を示したフローチャートである。以下、申込登録サーバー２０の動作を説明する。
まず、受信部２１が、携帯端末装置１０から送信される特定情報、証明書データ（画像データ）及び申込データ等を受信し（Ｓ２０）、受信した特定情報、証明書データ及び申込データを申込情報として申込情報登録部２２に送った後、申込・情報記憶部２６に記憶する（Ｓ２１）。
次いで、真偽判定部２２が、証明書データ（画像データ）の真偽判定を行う（Ｓ２２）。証明書データ（画像データ）の真偽判定は、画像データから文字・記号等を認識し、認識した文字・数字・記号等が所定のルールに適合するかを判定することにより行う。
そして、真偽判定部２２は、認識した文字・記号等が所定のルールに適合する場合は「偽造の疑いなし」の判定結果を出し、認識した文字・記号等が所定のルールに適合ない場合は「偽造の疑いあり」の判定結果を出す。
最後に、真偽判定部２２が判定結果を送信部２６送り、申込情報登録部２２が申込情報のうち証明書データ及び申込データを送信部２６に送り、送信部２６が、真偽判定部２２からの判定結果、申込情報登録部２２からの証明書データと申込データを申込データ確認装置３０に送信する（Ｓ２３）。
【００６０】
［申込データ確認装置３０の動作］
図１１は、申込データ確認装置３０の動作を示したフローチャートである。以下、申込データ確認装置３０の動作を説明する。
まず、受信部３１が、判定結果、証明書データ（画像データ）と申込データを受信する（Ｓ３０）。
受信した判定結果は、判定結果情報保存部３２に一旦保存した後表示部３４に表示し、受信した証明書データ（画像データ）と申込データは、申込・画像データ保存部３３に一旦保存した後表示部３４に表示する（Ｓ３１）。
次いで、申込データ削除部３５が、申込・画像データ保存部３３に保存されている申込データのうち、確認判断者により不正であると判断されて選択された申込データを削除する（Ｓ３２）。
次いで、申込データ削除部３５が削除した申込データ（削除申込データ）を送信部３９に送り、送信部３９は、通信回線６を介して削除申込データを申込登録サーバー２０に送信する（Ｓ３３）。
また、申込データ削除部３５は、削除しない申込データを申込データ登録部３６に送り、申込データ登録部３６は、削除されない申込データを真正な申込データとして真正申込データ記憶部３７に記憶する（Ｓ３４）。
そして、カード発行データ生成部３８が、真正申込データ記憶部３８に記憶された申込データからカード発行データを生成する（Ｓ３５）。
この後、申込登録サーバー２０において、受信部２１が、申込データ確認装置３０から送信された削除申込データを受信し、申込情報更新部２４が、受信部した削除申込データに基づいて申込情報記憶部２５に記憶された申込情報の更新を行う。すなわち、申込情報更新部２５は、削除申込データに対応する申込情報を削除し、これにより申請申込データ記憶部３７に記憶された申請申込データに対応する申込情報が申込情報更新部２４に記憶されることとなる。
【産業上の利用可能性】
【００６１】
本発明のサービス利用申込登録システムは、申込者の端末装置からサービス利用の申し込みに必要なデータを入力し、このデータに基づいてサービス利用の申込登録を行うシステムを使用して特定の企業等の従業員に対して口座開設やカード発行する場合等において、申込者が、設定された特定情報を入力する煩わしさを軽減し、システム側においてその特定情報を管理する負荷を軽減することができる。
【符号の説明】
【００６２】
１  サービス利用申込登録システム
２  識別用コード（二次元コード）
３  印刷物
４  証明書
５、６  通信回線
１０  携帯端末装置
１１  カメラ
１２  二次元コード認識部
１３  特定情報保存部
１４  表示部
１５  入力画面制御部
１６  画像データ保存部
１７  申込データ入力部
１８  申込データ保存部
１９  送信部
２０  申込登録サーバー
２１  受信部
２２  真偽判定部
２３  申込情報登録部
２４  申込情報更新部
２５  申込情報記憶部
２６  送信部
３０  申込データ確認装置
３１  受信部、
３２  判定結果保存部
３３  申込・画像データ保存部
３４  本発明の表示手段となる表示部
３５  申込データ削除部
３６  申込データ登録部
３７  真正申込データ記憶部
３８  カード発行データ生成部
３９  送信部
ａ１、ａ２、ａ３、ａ４  入力画面
ｂ１、ｂ２、ｂ３、ｂ４  ボタン
ｗ１、ｗ２  入力枠
【図１】
2020095743.tif 000003
【図２】
2020095743.tif 000004
【図３】
2020095743.tif 000005
【図４】
2020095743.tif 000006
【図５】
2020095743.tif 000007
【図６】
2020095743.tif 000008
【図７】
2020095743.tif 000009
【図８】
2020095743.tif 000010
【図９】
2020095743.tif 000011
【図１０】
2020095743.tif 000012
【図１１】
2020095743.tif 000013